(57)【要約】【課題】遊技起動装置へ有価価値を供給でき、遊技店内におけるキャッシュレス化を実現することができる有価価値供給方法の提供。【解決手段】遊技店Ｈは、遊技起動装置３及び遊技店口座５に接続されたファイル管理装置１が備えられ、該ファイル管理装置１は、外部通信ネットワーク１００を介して金融機関７，７，…と通信可能に接続されており、遊技起動装置３にて入力を受け付けた遊技者口座情報及び供給指示情報に基づき、遊技店口座５が有する遊技者口座から遊技起動装置３へ有価価値を供給する。【選択図】図１
2006280995.tif 000002
【特許請求の範囲】
【請求項１】
遊技店に設置された遊技機にて遊技に用いる有価価値の情報が記録された複数の遊技店ファイルから、前記有価価値の数値に応じて前記遊技機での遊技を可能にする遊技起動装置へ、前記有価価値を供給する有価価値供給方法であって、
前記遊技起動装置は、前記複数の遊技店ファイルのうち一の遊技店ファイルを特定する遊技店ファイル情報の入力を受け付け、受け付けた前記遊技店ファイル情報を、前記複数の遊技店ファイルにおける有価価値の移動を管理するファイル管理装置へ送信し、
前記ファイル管理装置は、前記遊技店ファイル情報を受信し、受信した前記遊技店ファイル情報に対応する前記一の遊技店ファイルを特定し、特定した遊技店ファイルに記録された有価価値に関するファイル情報を前記遊技起動装置へ送信し、
前記遊技起動装置は更に、前記ファイル情報を受信し、有価価値の供給を指示する供給指示情報の入力を受け付け、受け付けた前記供給指示情報を前記ファイル管理装置へ送信し、
前記ファイル管理装置は更に、前記供給指示情報を受信し、前記遊技店ファイルの記録内容を、前記ファイル情報が示す有価価値の数値から前記供給指示情報が示す有価価値の数値を差し引いた数値の有価価値に関する差引ファイル情報に書き換え、受信した前記供給指示情報に対応して供給する有価価値に関する供給情報を前記遊技起動装置へ送信し、
前記遊技起動装置は更に、前記ファイル管理装置から送信された前記供給情報を受信し、
前記ファイル管理装置は更に、金融機関における口座を特定する口座情報の入力と、前記口座から前記遊技店ファイルへ有価価値を振り替える振替命令の入力とを受け付け、受け付けた前記口座情報及び振替命令に基づき、前記通信ネットワークを使用して有価価値を前記口座から前記遊技店ファイルへ振り替えることを特徴とする有価価値供給方法。
【請求項２】
前記ファイル管理装置は更に、前記有価価値に関する複数の管理情報を記録し、前記遊技起動装置は、前記複数の管理情報のうちの一の管理情報を特定する管理特定情報の入力を受け付け、受け付けた前記管理特定情報を前記ファイル管理装置へ送信し、ファイル管理装置は更に、前記管理特定情報を受信し、受信した前記管理特定情報に対応する前記管理情報を特定し、特定した管理情報を前記遊技起動装置へ送信し、前記遊技起動装置は更に、前記管理情報を受信し、前記ファイル管理装置は更に、前記管理情報の記録内容を、前記管理情報が示す有価価値の数値から前記供給指示情報が示す有価価値の数値を差し引いた数値の有価価値に関する差引管理情報に書き換えることを特徴とする請求項１に記載の有価価値供給方法。
【請求項３】
前記遊技起動装置は更に、有価価値の情報を記録している価値記録媒体、又は遊技店外の有価価値の供給元を識別する情報を記録している供給用記録媒体を受け付け、前記供給指示情報が示す有価価値の数値に応じて、前記価値記録媒体に記録されている有価価値の供給、又は前記ファイル管理装置を介した前記供給元からの有価価値の供給を受けることを特徴とする請求項１又は２に記載の有価価値供給方法。
【請求項４】
前記遊技起動装置は更に、可搬型記録媒体に有価価値に関する情報が記録されているか否かを判定し、記録されていると判定した場合は、前記遊技店ファイル情報の入力を受け付けることなく前記可搬型記録媒体に記録された有価価値の数値に応じて前記遊技機での遊技を可能にすることを特徴とする請求項１乃至３の何れかに記載の有価価値供給方法。
【請求項５】
前記遊技起動装置は更に、前記口座情報及び振替命令の入力を受け付け、受け付けた前記口座情報及び振替命令を前記ファイル管理装置へ送信し、前記ファイル管理装置は更に、受信した前記口座情報及び振替命令に基づき、通信ネットワークを使用して有価価値を前記口座から前記遊技店ファイルへ振り替えることを特徴とする請求項１乃至４の何れかに記載の有価価値供給方法。
【発明の詳細な説明】
【技術分野】
【０００１】
本発明は、遊技店に設置された遊技機にて遊技に用いる有価価値に関する情報が記録された複数の遊技店ファイルから、前記有価価値を遊技者の要求に応じて供給し、また、金融機関における口座から前記遊技店ファイルへ前記有価価値を移し替えるための有価価値供給方法に関するものである。
【背景技術】
【０００２】
従来、特にパチンコなどの遊技機を取り扱う遊技店において、遊技の対価としての金銭的な支払いを行うにあたり現金（有価価値）を使用する機会を極力省く、いわゆるキャッシュレス化が図られている。例えば、磁気記録領域を備えた磁気カード等の記録媒体をプリペイドカード（以下、カードという）として用い、前記記録媒体に記録されている記録情報を管理することにより、遊技機にて現金を使用する必要がないシステムが実現されている。また、磁気カードに比しより多くの情報を記録するために、半導体メモリを備えたＩＣカード等のカードを用いたシステムも構築されるようになっている。
【０００３】
前述したシステムにおいて有価価値に関する情報を記録したカードを入手する場合、遊技店などに設置された発券機に現金を投入することにより購入する、又は、予め入手したカード及び現金を前記発券機等の専用装置に投入することにより、投入金額に相当する有価価値情報をカードに記録する。
【発明の開示】
【発明が解決しようとする課題】
【０００４】
しかしながら、前述したシステムの場合、カードを用いることにより遊技機での現金の使用は不要となるが、有価価値に関する情報を記録したカードを遊技者が入手するためには、前述した通り、遊技店内での現金の使用は避けられず、本来意味するところの遊技店内でのキャッシュレス化は実現できていないのが現状である。
【０００５】
本発明は、斯かる事情に鑑みてなされたものであり、有価価値（例えば、現金、パチンコ玉）に関する情報が記録された複数の遊技店ファイルと、該遊技店ファイルにおける有価価値の移動を管理するファイル管理装置と、有価価値の数値に応じて遊技機（パチンコ機）での遊技を可能にする遊技起動装置（台間機）とを用い、遊技者が遊技起動装置にて入力した前記遊技者の遊技店ファイルを特定する情報に基づき、ファイル管理装置は遊技店ファイルに記録された有価価値に関するファイル情報を遊技起動装置へ送信し、遊技者が遊技起動装置にて更に入力した有価価値を供給する指示である供給指示情報に基づき、ファイル管理装置は供給指示情報に応じた有価価値を遊技起動装置へ送信することにより、遊技者の要求に応じて遊技店ファイルから遊技起動装置へ有価価値を供給でき、遊技店内において現金を使用せずとも遊技が可能となり、本来の意味でのキャッシュレス化を実現することのできる有価価値供給方法を提供することを目的とする。
【０００６】
また、ファイル管理装置が有価価値に関する複数の管理情報を記録し、遊技起動装置が入力を受け付けた、前記複数の管理情報のうちの一の管理情報を特定する管理特定情報に基づき、ファイル管理装置が特定された前記管理情報を遊技起動装置へ送信することにより、遊技店ファイルの他、ファイル管理装置に記録された有価価値を遊技者の要求に応じて遊技機に送信し、遊技店内において現金を使用せずとも遊技が可能となる有価価値供給方法を提供することを目的とする。
【０００７】
また、前記遊技起動装置が更に、汎用のプリペイドカード等の有価価値の情報を記録している価値記録媒体、又はデビットカード若しくはクレジットカードなど遊技店外の有価価値の供給元を識別する情報を記録している供給用記録媒体を受け付け、前記価値記録媒体から有価価値の供給を受ける、又は前記供給元からファイル管理装置を介して有価価値の供給を受けることにより、遊技店内において現金を使用せずとも遊技が可能となる有価価値供給方法を提供することを目的とする。
【０００８】
また、前記遊技起動装置が更に、ＩＣカード等の可搬型記録媒体に有価価値に関する情報が記録されているか否かを判定し、記録されている場合は、遊技店ファイルを特定する前記情報の入力を受け付けることなく前記可搬型記録媒体に記録された有価価値の数値に応じて遊技機での遊技を可能とすることにより、遊技者は、遊技店ファイルに優先し、ＩＣカード等の可搬型記録媒体に記録された有価価値に関する情報に基づき、遊技機にて遊技を行うことが可能である有価価値供給方法を提供することを目的とする。
【０００９】
また、前記ファイル管理装置が更に、金融機関における口座を特定する口座情報、及び、前記口座から遊技店ファイルへ有価価値を振り替える振替命令の入力を受け付け、受け付けた前記口座情報及び振替命令に基づいて有価価値を振り替えることにより、遊技店ファイルに記録された有価価値が不足している場合であっても、金融機関における口座から有価価値を移し替えることができる有価価値供給方法を提供することを目的とする。
【００１０】
また、前記遊技起動装置が更に、前記口座情報及び振替命令の入力を受け付け、ファイル管理装置が更に、前記情報及び命令に基づき通信ネットワークを利用して口座から遊技店ファイルへ有価価値を振り替えることにより、遊技店ファイルに記録された有価価値が不足している場合であっても、遊技者の要求に応じて口座から有価価値を移し替えることができ、遊技機での遊技において現金の使用が不要とすることができる有価価値供給方法を提供することを目的とする。
【００１１】
また、前記通信ネットワークとの間にて通信可能に接続された携帯電話機等の通信装置を備え、該通信装置が前記通信ネットワークを介してファイル管理装置に接続し、前記口座情報及び振替命令の入力を受け付けて前記ファイル管理装置へ送信することにより、遊技店内以外であっても遊技者が所有する通信装置により、遊技者の要求に応じて金融機関における口座から遊技店ファイルへ有価価値を移し替えることができる有価価値供給方法を提供することを目的とする。
【００１２】
また、ファイル管理装置との間にて通信可能に接続され、他の装置へ有価価値に関する情報を記録するために有価価値の供給を受け付ける受付装置を更に備え、該受付装置が、有価価値の供給及び記録先を指定する記録先情報の入力を受け付け、指定された記録先に応じて有価価値に関する情報を記録又は送信することにより、現金、パチンコ玉等の有価価値を、可搬型記録媒体、ファイル管理装置及び遊技店ファイルの何れかに、追加して記録させることができる有価価値供給方法を提供することを目的とする。
【００１３】
また、前記受付装置が更に、前記価値記録媒体又は前記供給用記録媒体を受け付け、前記価値記録媒体から有価価値の供給を受ける、又は前記供給元からファイル管理装置を介して有価価値の供給を受けることにより、可搬型記録媒体、ファイル管理装置及び遊技店ファイルの何れかに記録すべき有価価値を現金を使用せずに得ることができる有価価値供給方法を提供することを目的とする。
【００１４】
また、前記受付装置が更に、前記口座情報及び前記振替命令の入力を受け付けて前記ファイル管理装置へ送信することにより、受付装置においても、金融機関における口座から遊技店ファイルへ有価価値を移し替えることができる有価価値供給方法を提供することを目的とする。
【００１５】
また、前記通信装置が、遊技店ファイル又はファイル管理装置に記録された有価価値に関する情報を、ファイル管理装置へ要求し、該要求に応じて前記ファイル管理装置から送信された前記有価価値に関する情報を表示することにより、遊技者は遊技店外であっても、遊技店ファイル又はファイル管理装置に記録された有価価値に関する情報を、遊技者が有する通信装置を用いて確認することができる有価価値供給方法を提供することを目的とする。
【００１６】
また、前記遊技起動装置が更に、遊技後に残った遊技起動装置が所有する有価価値の所有情報をファイル管理装置へ送信し、該ファイル管理装置が更に、前記情報を記憶することにより、遊技後に使用せずに残った有価価値をファイル管理装置に記録することができる有価価値供給方法を提供することを目的とする。
【００１７】
また、前記遊技起動装置が更に、前記口座情報と遊技店ファイルから前記口座へ有価価値を精算して振り替える精算振替命令との入力を受け付け、ファイル管理装置が更に、前記口座情報および前記精算振替命令に基づき通信ネットワークを利用して遊技店ファイルから口座へ有価価値を振り替えることにより、遊技用に記録した有価価値を一般の口座へ移し替えることができる有価価値供給方法を提供することを目的とする。
【００１８】
また、前記遊技起動装置が更に、遊技店ファイルが有する前記ファイル情報、又は、遊技後に遊技起動装置が有する前記所有情報を、可搬型記録媒体へ記録することにより、遊技者は有価価値に関する情報をＩＣカード等の可搬型記録媒体に記録でき、該可搬型記録媒体を遊技機での遊技に供することが可能となる有価価値供給方法を提供することを目的とする。
【００１９】
また、ファイル管理装置との間にて通信可能に接続され、可搬型記録媒体に記録された有価価値の精算を行う精算装置を更に備え、該精算装置が、可搬型記録媒体の挿入、及び精算方法を指定する情報の入力を受け付け、指定された精算方法に従って、現金の排出、又はファイル管理装置もしくは遊技店ファイルへの有価価値の記録により、可搬型記録媒体に記録された有価価値を精算することができる有価価値供給方法を提供することを目的とする。
【００２０】
また、前記精算装置が更に、前記口座情報と遊技店ファイルから前記口座へ有価価値を精算して振り替える精算振替命令との入力を受け付け、ファイル管理装置が更に、前記口座情報および前記精算振替命令に基づき通信ネットワークを利用して遊技店ファイルから口座へ有価価値を振り替えることにより、遊技用に記録した有価価値を一般の口座へ移し替えることができる有価価値供給方法を提供することを目的とする。
【００２１】
また、前記ファイル管理装置が更に、該ファイル管理装置を介する有価価値の移動に関する履歴情報を記憶することにより、遊技店は有価価値の移動を把握することができ、遊技者は、有価価値に関する情報を記録したＩＣカード等の前記可搬型記録媒体を紛失した場合であっても、履歴情報に基づき、有価価値に関する情報を改めて可搬型記録媒体へ記録することができる有価価値供給方法を提供することを目的とする。
【課題を解決するための手段】
【００２２】
第１発明に係る有価価値供給方法は、遊技店に設置された遊技機にて遊技に用いる有価価値の情報が記録された複数の遊技店ファイルから、前記有価価値の数値に応じて前記遊技機での遊技を可能にする遊技起動装置へ、前記有価価値を供給する有価価値供給方法であって、前記遊技起動装置は、前記複数の遊技店ファイルのうち一の遊技店ファイルを特定する遊技店ファイル情報の入力を受け付け、受け付けた前記遊技店ファイル情報を、前記複数の遊技店ファイルにおける有価価値の移動を管理するファイル管理装置へ送信し、前記ファイル管理装置は、前記遊技店ファイル情報を受信し、受信した前記遊技店ファイル情報に対応する前記一の遊技店ファイルを特定し、特定した遊技店ファイルに記録された有価価値に関するファイル情報を前記遊技起動装置へ送信し、前記遊技起動装置は更に、前記ファイル情報を受信し、有価価値の供給を指示する供給指示情報の入力を受け付け、受け付けた前記供給指示情報を前記ファイル管理装置へ送信し、前記ファイル管理装置は更に、前記供給指示情報を受信し、前記遊技店ファイルの記録内容を、前記ファイル情報が示す有価価値の数値から前記供給指示情報が示す有価価値の数値を差し引いた数値の有価価値に関する差引ファイル情報に書き換え、受信した前記供給指示情報に対応して供給する有価価値に関する供給情報を前記遊技起動装置へ送信し、前記遊技起動装置は更に、前記ファイル管理装置から送信された前記供給情報を受信し、前記ファイル管理装置は更に、金融機関における口座を特定する口座情報の入力と、前記口座から前記遊技店ファイルへ有価価値を振り替える振替命令の入力とを受け付け、受け付けた前記口座情報及び振替命令に基づき、前記通信ネットワークを使用して有価価値を前記口座から前記遊技店ファイルへ振り替えることを特徴とする。
【００２３】
第２発明に係る有価価値供給方法は、第１発明に係る有価価値供給方法において、前記ファイル管理装置は更に、前記有価価値に関する複数の管理情報を記録し、前記遊技起動装置は、前記複数の管理情報のうちの一の管理情報を特定する管理特定情報の入力を受け付け、受け付けた前記管理特定情報を前記ファイル管理装置へ送信し、ファイル管理装置は更に、前記管理特定情報を受信し、受信した前記管理特定情報に対応する前記管理情報を特定し、特定した管理情報を前記遊技起動装置へ送信し、前記遊技起動装置は更に、前記管理情報を受信し、前記ファイル管理装置は更に、前記管理情報の記録内容を、前記管理情報が示す有価価値の数値から前記供給指示情報が示す有価価値の数値を差し引いた数値の有価価値に関する差引管理情報に書き換えることを特徴とする。
【００２４】
第３発明に係る有価価値供給方法は、第１又は第２発明に係る有価価値供給方法において、前記遊技起動装置は更に、有価価値の情報を記録している価値記録媒体、又は遊技店外の有価価値の供給元を識別する情報を記録している供給用記録媒体を受け付け、前記供給指示情報が示す有価価値の数値に応じて、前記価値記録媒体に記録されている有価価値の供給、又は前記ファイル管理装置を介した前記供給元からの有価価値の供給を受けることを特徴とする。
【００２５】
第４発明に係る有価価値供給方法は、第１乃至第３発明の何れかに係る有価価値供給方法において、前記遊技起動装置は更に、可搬型記録媒体に有価価値に関する情報が記録されているか否かを判定し、記録されていると判定した場合は、前記遊技店ファイル情報の入力を受け付けることなく前記可搬型記録媒体に記録された有価価値の数値に応じて前記遊技機での遊技を可能にすることを特徴とする。
【００２６】
第５発明に係る有価価値供給方法は、第１乃至第４発明の何れかに係る有価価値供給方法において、前記遊技起動装置は更に、前記口座情報及び振替命令の入力を受け付け、受け付けた前記口座情報及び振替命令を前記ファイル管理装置へ送信し、前記ファイル管理装置は更に、受信した前記口座情報及び振替命令に基づき、通信ネットワークを使用して有価価値を前記口座から前記遊技店ファイルへ振り替えることを特徴とする。
【００２７】
第１発明による場合は、遊技者が遊技起動装置（台間機）にて入力した一の遊技店ファイルを特定する遊技店ファイル情報に基づき、ファイル管理装置は前記一の遊技店ファイルに記録された有価価値に関するファイル情報を前記遊技起動装置へ送信し、遊技者が遊技起動装置にて更に入力した有価価値（例えば、現金、パチンコ玉）の供給を指示する供給指示情報に基づき、ファイル管理装置は更に、遊技店ファイルの記録内容を書き換え、また、前記供給指示情報に対応する有価価値を遊技起動装置へ送信することにより、遊技者による遊技店ファイル情報及び供給指示情報の入力がある場合に、遊技起動装置へ有価価値を供給でき、遊技者は、遊技店内において現金を使用せずとも遊技機（パチンコ機）にて遊技をすることができる。
【００２８】
又、第１発明による場合は、ファイル管理装置が更に、金融機関における口座を特定する口座情報及び口座から遊技店ファイルへ有価価値を振り替える振替命令の入力を受け付け、受け付けた前記口座情報及び振替命令に基づいて有価価値を振り替えることにより、遊技店ファイルに記録された有価価値が不足している場合であっても、金融機関における口座から有価価値を振り替えることができる。
【００２９】
第２発明による場合は、ファイル管理装置が有価価値に関する複数の管理情報を記録し、遊技起動装置が入力を受け付けた、前記複数の管理情報のうちの一の管理情報を特定する管理特定情報に基づき、ファイル管理装置が特定された前記管理情報を遊技起動装置へ送信することにより、遊技店ファイルの他、ファイル管理装置に記録された有価価値を遊技者の要求に応じて遊技機に送信し、遊技店内において現金を使用せずとも遊技が可能となる。
【００３０】
第３発明による場合は、遊技起動装置が更に、汎用のプリペイドカード等の有価価値の情報を記録している価値記録媒体、又はデビットカード若しくはクレジットカード等の遊技店外の有価価値の供給元を識別する情報を記録している供給用記録媒体を受け付け、価値記録媒体から有価価値の供給を受ける、又は前記供給元からファイル管理装置を介して有価価値の供給を受けることにより、遊技店内において現金を使用せずとも遊技が可能となる。
【００３１】
第４発明による場合は、遊技起動装置が更に、ＩＣカード等の可搬型記録媒体に有価価値に関する情報が記録されているか否かを判定し、記録されていると判定した場合は、遊技店ファイル情報の入力を受け付けることなく可搬型記録媒体に記録された有価価値の数値に応じて遊技機での遊技を可能とすることにより、遊技店ファイルに優先し、可搬型記録媒体に記録された有価価値の情報に基づき、遊技機での遊技を可能とすることができる。
【００３２】
第５発明による場合は、遊技起動装置が更に、金融機関における口座を特定する口座情報及び口座から遊技店ファイルへ有価価値を振り替える振替命令の入力を受け付けてファイル管理装置へ送信し、ファイル管理装置が更に、前記口座情報及び振替命令に基づき、通信ネットワークを利用して有価価値を口座から遊技店ファイルへ振り替えることにより、遊技店ファイルに記録された有価価値が不足している場合であっても、遊技者が所定の情報を遊技起動装置にて入力することにより口座から有価価値を振り替えることができ、遊技機での遊技において現金の使用を不要とすることができる。
【発明の効果】
【００３３】
第１発明による場合は、遊技者による遊技店ファイル情報及び供給指示情報の入力がある場合に、遊技起動装置へ有価価値を供給でき、遊技者は、遊技店内において現金を使用せずとも遊技機（パチンコ機）にて遊技をすることができる。
又、遊技店ファイルに記録された有価価値が不足している場合であっても、金融機関における口座から有価価値を振り替えることができる。
【００３４】
第２発明による場合は、遊技店ファイルの他、ファイル管理装置に記録された有価価値を遊技者の要求に応じて遊技機に送信し、遊技店内において現金を使用せずとも遊技が可能となる。
【００３５】
第３発明による場合は、遊技起動装置が、価値記録媒体または供給用記録媒体を用いて有価価値の供給を受けることにより、遊技店内において現金を使用せずとも遊技が可能となる。
【００３６】
第４発明による場合は、遊技店ファイルに優先し、可搬型記録媒体に記録された有価価値の情報に基づき、遊技機での遊技を可能とすることができる。
【００３７】
第５発明による場合は、遊技店ファイルに記録された有価価値が不足している場合であっても、遊技者が所定の情報を遊技起動装置にて入力することにより口座から有価価値を振り替えることができ、遊技機での遊技において現金の使用を不要とすることができる。
【発明を実施するための最良の形態】
【００３８】
（実施の形態１）
以下、本発明をその実施の形態を示す図面に基づいて詳述する。図１は、本発明に係る有価価値供給システムの構成を示すブロック図である。図中１は、各遊技店Ｈに備えられた本発明に係るファイル管理装置であり、該ファイル管理装置１は、遊技店Ｈが複数備えるパチンコ台（遊技機）２，２，…における２台の隣り合うパチンコ台２，２の間に備えられた台間機（遊技起動装置）３に接続されている。該台間機３は、半導体メモリを備えたＩＣカード等の可搬型記録媒体であるカード４の挿入口を有し、該カード４に記録された情報を読み込み、また、カード４に情報を記録することができる。また、ファイル管理装置１は、遊技店Ｈが備え、パチンコ台２，２，…での遊技を可能とする有価価値（例えば、現金、パチンコ玉）に関する情報を記録する遊技店口座（遊技店ファイル）５に接続されている。
【００３９】
なお、本実施の形態では遊技店口座５を遊技店Ｈ内に備えるシステム構成を示しているが、遊技店口座５を遊技店Ｈの外部に備え、外部通信ネットワーク１００を利用してファイル管理装置１と通信可能に接続してもよい。この場合、例えばカード会社等が遊技店口座５と同様の機能を備えることが可能であり、前記カード会社等と遊技店Ｈとの間にて有価価値の供給に関する契約を結ぶ形態をなすことが可能である。また、遊技店Ｈが系列会社の１つである場合は、系列会社が前記カード会社との間にて各遊技店Ｈ，Ｈ，…への有価価値の供給に関する契約を結ぶ形態であってもよい。
【００４０】
また、ファイル管理装置１は、図示しないルータを介してインターネット等の外部通信ネットワーク１００に接続されており、該外部通信ネットワーク１００には、遊技店Ｈにて遊技を行う遊技者、その他の個人及び会社等が開設した口座を管理する金融機関７，７，…の他、前記外部通信ネットワーク１００を介してファイル管理装置１へ、金融機関７から遊技店口座５へ有価価値を振り替える旨の指示を送信するための携帯電話、ＰＨＳ等のＰＤＡ（Personal Digital Assistant）である、本発明に係る通信装置６が通信可能に接続されている。前記金融機関７，７，…は、遊技店Ｈとの間にて特定の契約を結んでおり、遊技店Ｈが備えるファイル管理装置１からの要求に応じて金融機関７，７，…が有する口座から遊技店口座５へ有価価値を振り替えることができる。
【００４１】
図２はファイル管理装置１の構成を示すブロック図である。ファイル管理装置１はＣＰＵ１０を備え、該ＣＰＵ１０はＲＡＭ１１、ハードディスク（ＨＤ）１２、外部記憶装置１３、第１通信インタフェース１４、第２通信インタフェース１５、第３通信インタフェース１６の動作を制御する。ＲＡＭ１１は、ＳＲＡＭ、フラッシュメモリ等で構成されており、ＣＰＵ１０の演算処理中に発生する一時的なデータを記憶する他、第１乃至第３通信インタフェースを介して送受信されるデータ等を記憶する。ＨＤ１２には、パチンコ台２，２，…での遊技後に残った有価価値に関する各遊技者毎の情報の他、各種プログラムが格納されており、また、ファイル管理装置１を介して行われる有価価値の移動に関する履歴情報が記録されている。
【００４２】
図３はＨＤ１２に記録された有価価値の移動に伴う使用限度に関する履歴情報１２ａを示す模式図である。履歴情報１２ａには、例えば、遊技店Ｈの会員である遊技者Ａが有する２枚のカードに加算して記録された有価価値としてのカード加算有価価値、遊技者Ａが使用することができる遊技店口座５に記録された有価価値としての遊技店口座設定有価価値、及び前記両者を合わせた有価価値としての使用可能有価価値合計が、有価価値の種類により分類されて最新の履歴情報が記録されている。なお、この他にも振り替えの有無、有価価値の支出額等、必要に応じて各種履歴情報を記録してもよい。
【００４３】
外部記憶装置１３は、ファイル管理装置１を実現するためのコンピュータプログラムが記録されたＣＤ−ＲＯＭ等の記録媒体REC1から記録内容を読み込むためのＣＤ−ＲＯＭドライブ等であり、外部記憶装置１３により読み込まれたデータは前記ＨＤ１２に記録される。また、第１通信インタフェース１４は、外部通信ネットワーク１００を介して金融機関７，７，…との間で通信可能に接続され、第２通信インタフェース１５は遊技店口座５と、第３通信インタフェース１６は台間機３との間にてＬＡＮなどの通信回線により通信可能に接続されている。
【００４４】
図４は遊技店口座５に記録された記録内容を説明するためのブロック図である。遊技店口座５は、遊技店Ｈにて遊技を行う各遊技者Ａ，Ｂ，…に対応する複数の遊技者口座５１，５１，…を有しており、該遊技者口座５１，５１，…には各遊技者が遊技をする際に使用することができる有価価値として、使用限度額、及び、使用限度玉数に関する情報（例えば、遊技者Ａ、￥100,000 、2,000 個）が記録されている。
【００４５】
図５は台間機３の構成を示すブロック図である。台間機３はＣＰＵ３０を備え、該ＣＰＵ３０は、ＲＡＭ３１、入力部３２、ディスプレイ３３、リーダ／ライタ３４、第１通信インタフェース３５、第２通信インタフェース３６、ハードディスク（ＨＤ）３７及び外部記憶装置３８の動作を制御する。入力部３２は、遊技店口座５内に記録された複数の遊技者口座５１，５１，…のうち一の遊技者口座５１を特定するための遊技者口座情報、遊技店口座５から台間機３へ供給する有価価値の要求額に関する情報、金融機関７から遊技店口座５へ有価価値を振り替える旨の指示等、遊技者によりなされる様々の情報等の入力を受け付ける。リーダ／ライタ３４は、台間機３の挿入口にカード４が挿入された場合、遊技者が前記入力部３２を操作することにより、カード４に記録された情報を読み込み、及び、カード４へデータの書き込みを行う。
【００４６】
第１通信インタフェース３５はＬＡＮを介してファイル管理装置１に、第２通信インタフェース３６はＬＡＮを介してパチンコ台２に接続されており、前記第１又は第２通信インタフェース３５，３６を介して送受信される有価価値等に関するデータはディスプレイ３３に表示される。また、外部記憶装置３８は、台間機３を実現するためのコンピュータプログラムが記録されたＣＤ−ＲＯＭ等の記録媒体REC3から記録内容を読み込むためのＣＤ−ＲＯＭドライブ等であり、外部記憶装置３８が読み込んだデータはＨＤ３７に記録される。
【００４７】
図６はカード４の構成を示すブロック図である。カード４はＣＰＵ４０を備え、該ＣＰＵ４０はＲＡＭ４１、ＲＯＭ４２及び入出力インタフェース４３の動作を制御する。ＲＯＭ４２は読み出し及び書き込みが可能なＥＥＰＲＯＭ等のメモリであり、有価価値に関する情報を記録することができ、カード４の種類を示すカード識別情報、遊技店Ｈが会員制を採用している場合における各会員の識別情報、また、入出力インタフェース４３を介して入力された情報などを記憶することができる。
【００４８】
次に、上述したような構成をなす有価価値供給システムの動作について説明する。図７及び図８は、本実施の形態における有価価値供給システムの動作を説明するためのフローチャートである。ユーザが台間機３の挿入口にカード４を挿入した場合（Ｓ１０１）、台間機３は該カード４におけるカード識別情報をリーダ／ライタ３４により読み込んで受け付け、挿入されたカード４が適正なものであるか否かを判断する。不正カードであれば、台間機３の使用を不可とするなどの不正使用防止処理を施す。
【００４９】
カード４が適正なものである場合、台間機３は、カード４内に有価価値に関する情報が記録されているか否かを判断し（Ｓ１０２）、有価価値が記録されている場合はカード４から有価価値に関する情報を読み込む（Ｓ１０３）。カード４に有価価値に関する情報が記録されていない場合、入力部３２を用いてユーザが入力した遊技店口座５におけるユーザが所有する遊技者口座５１を特定するための遊技者口座情報を受け付け、受け付けた遊技者口座情報をファイル管理装置１へ送信する（Ｓ１０４）。ファイル管理装置１は、遊技者口座情報を受信し（Ｓ２０１）、これに基づいて該当する遊技者口座５１を特定し（Ｓ２０２）、特定した遊技者口座５１に記録された有価価値の残額に関する残額情報（ファイル情報）を台間機３へ送信する（Ｓ２０３）。残額情報を受信した台間機３は（Ｓ１０５）、残額情報に基づいて遊技者口座５１に記録されている有価価値の残額をディスプレイ３３に表示し、ユーザはディスプレイ３３にて前記有価価値の残額を参照することができる。
【００５０】
残額情報を受信した後、台間機３は、金融機関７においてユーザが有する金融口座から遊技店口座５における遊技者口座５１へ有価価値を振り替えるべき命令として、金融口座及び振替金額を指定する情報を含む振替命令の入力を受け付けたか否かを判断する（Ｓ１０６）。振替命令の入力を受け付けた場合、振替命令に従って金融口座から遊技者口座５１への振替処理を行う（Ｓ１０７）。振替命令の入力を受け付けなかった場合、又は、振替命令の入力があり、振替処理が完了した場合、遊技者口座５１から台間機３へ供給すべき有価価値の数値に関する供給指示の入力を受け付けたか否かを判断する（Ｓ１０８）。
【００５１】
台間機３が供給指示の入力を受け付けなかった場合、台間機３は有価価値の供給に関する動作を終了する。供給指示の入力を受け付けた場合、供給指示の内容を示す供給指示情報をファイル管理装置１へ送信する（Ｓ１０９）。供給指示情報を受信したファイル管理装置１は（Ｓ２０４）、遊技者口座５１に記録された有価価値の数値に関する情報を、供給指示情報に対応する有価価値の数値を差し引いた額の情報に書き換え（Ｓ２０５）、前記供給指示情報に対応する有価価値の情報である有価価値情報（供給情報）を台間機３へ送信する（Ｓ２０６）と共に、ファイル管理装置１から台間機３へ有価価値を供給したことに関する履歴情報をＨＤ１２に記録する（Ｓ２０７）。台間機３は前記有価価値情報を受信し（Ｓ１１０）、ユーザは台間機３にて遊技者口座５１から受信した有価価値情報に基づき、パチンコ台２にて遊技を行うことができる。
【００５２】
なお、前記ステップ１０４において遊技者口座情報に代わり、ファイル管理装置１が複数有する有価価値に関する管理情報を特定する管理特定情報の入力を受け付けた場合、ステップ１０５において台間機３は、ファイル管理装置１の管理情報に記録された各遊技者が有する有価価値の残額をディスプレイ３３に表示することができる。更に、ステップ１０８において受け付けた供給指示が、ファイル管理装置１が有する管理情報に記録された有価価値を台間機３へ供給すべき指示である場合、台間機３はステップ１１０においてファイル管理装置１の管理情報に記録された有価価値情報を受信することができる。
【００５３】
また、前記ステップ１０４からステップ１０５に至る台間機３が行う処理動作を、携帯電話などの通信装置６が行うことにより、遊技店Ｈ外であっても通信装置６を用い、遊技者口座５１に記録された有価価値の残額情報を閲覧することができる。
【００５４】
次に、前記ステップ１０７における振替処理における動作について説明する。図９は有価価値の振り替えにおける処理を説明するためのフローチャートである。ユーザが台間機３の入力部３２を操作することにより、金融機関７においてユーザが有する金融口座から遊技店口座５における遊技者口座５１へ有価価値を振り替えるべき命令として、金融口座及び振替金額を指定する情報を含む振替命令を入力した場合、台間機３は前記振替命令の入力を受け付け（Ｓ３０１）、振替命令に対応する振替命令情報をファイル管理装置１へ送信する（Ｓ３０２）。
【００５５】
振替命令情報を受信したファイル管理装置１は（Ｓ４０１）、振替命令情報に基づいてユーザの金融機関７及び金融口座を特定する（Ｓ４０２）。特定した金融機関７及び金融口座について、預金額が振替金額より少額でないかなど、有価価値の振り替えにおける適正を判断し（Ｓ４０３）、適正ではないと判断した場合は、振り替えを行うことができない旨の振替不可情報を台間機３へ送信する（Ｓ４０４）。振替不可情報を受信した台間機３は（Ｓ３０３）、再び振替命令の入力を受け付ける状態（Ｓ３０１）となる。
【００５６】
金融機関７及び金融口座が適正なものであると判断した場合、ファイル管理装置１は振替命令情報に従い、金融口座から遊技者口座５１へ有価価値を振り替え（Ｓ４０５）、振り替えが完了した旨の振替完了情報を台間機３へ送信し（Ｓ４０６）、台間機３が振替完了情報を受信する（Ｓ３０４）ことにより、振替処理を終了する。
【００５７】
なお、ステップ３０１乃至３０４に示す台間機３が行った処理を、携帯電話等の通信装置６、又は、遊技店Ｈに設置された発券機等が行うようにしてもよい。また、ステップ３０１に示す振替命令の入力の受け付けをファイル管理装置１が行い、受け付けた振替命令に基づき、ステップ４０２乃至４０５に示す処理を行うようにしてもよく、この場合は、ファイル管理装置１にて有価価値の振替処理を行うことができる。
【００５８】
次に、ユーザが遊技を終了した場合に、台間機３が所有する有価価値に関する所有情報の保存処理について、図１０に示すフローチャートを用いて説明する。遊技が終了した場合（Ｓ５０１）、ユーザは台間機３の入力部３２を操作することにより、前記所有情報を、カード４、ファイル管理装置１及び遊技者口座５１の何れに記録するかを示す記録先情報を入力する（Ｓ５０２）。台間機３は、記録先情報に基づき、所有情報をカード４に記録するのか否かを判断する（Ｓ５０３）。記録先情報がカード４に記録すべき旨の情報である場合、台間機３はカード４に所有情報を記録して保存する（Ｓ５０４）。
【００５９】
ステップ５０３にて、記録先情報がカード４へ所有情報を記録しない旨である場合、台間機３は所有情報及び記録先情報をファイル管理装置１へ送信する（Ｓ５０５）。ファイル管理装置１は、台間機３から所有情報及び記録先情報を受信し（Ｓ６０１）、該記録先情報に基づいて記録先がファイル管理装置１であるか否かを判断する（Ｓ６０２）。記録先情報が示す記録先がファイル管理装置１である場合、ファイル管理装置１へ所有情報を記録して（Ｓ６０３）保存する。また、記録先情報が示す記録先が遊技者口座５１である場合、ファイル管理装置１は遊技店口座５内の指定された遊技者口座５１に所有情報を記録する（Ｓ６０４）ことにより保存する。
【００６０】
なお、カード４及びファイル管理装置１への所有情報の記録は、遊技終了後である必要はなく、ユーザが台間機３にて記録先情報を入力することにより、遊技の途中に所有する有価価値の一部を記録することも可能である。
【００６１】
本実施に係る有価価値供給システムによれば、遊技店Ｈが有価価値を記録するファイル管理装置１及び遊技店口座５を有し、ユーザが台間機３に入力した情報に基づきファイル管理装置１又は遊技店口座５に記録された有価価値を台間機３へ供給するため、ユーザは現金を一切所有せずとも遊技店口座５に記録された有価価値を用いて遊技機２にて遊技を行うことができ、遊技店Ｈ内でのキャッシュレス化を実現することができる。
【００６２】
また、カード４に有価価値に関する情報が記録されている場合に、遊技者口座５１に記録された情報に対してカード４に記録された有価価値に関する情報を優先するため、ユーザが異なる遊技店Ｈにて遊技する場合であっても、最新の有価価値に関する情報に基づいて遊技を行うことができる。
【００６３】
また、ファイル管理装置１、台間機３及び通信装置６を操作することにより、外部通信ネットワーク１００を介して金融機関７における金融口座から遊技店口座５へ有価価値を振り替えるため、遊技店口座５に記録された有価価値が不足した場合であっても、遊技店Ｈ内外での操作に基づき、金融口座から遊技店口座５へ有価価値を振り替えることができる。
【００６４】
また、台間機３が有する有価価値に関する情報を、ファイル管理装置１又は遊技者口座５１に記録して保存することができるため、未使用の有価価値に関する情報をファイル管理装置１に保存でき、次に遊技を行う場合に使用することができる。更に、台間機３が有する有価価値に関する情報をカード４に記録し保存することができるため、異なる遊技店Ｈにて遊技する場合であっても、有価価値に関する情報を記録したカード４を用いることにより、最新の有価価値に関する情報に基づいて遊技を行うことができる。
【００６５】
（実施の形態２）
図１１は、本発明に係る有価価値供給システムの構成を示すブロック図である。図中１は各遊技店Ｈに備えられたファイル管理装置であり、実施の形態１におけるものと同様の機能を有し、インターネット等の外部通信ネットワーク１００を介して遊技店口座５との間にて通信可能に接続されている。また、ファイル管理装置１は、遊技店Ｈが複数備えるパチンコ台（遊技機）２，２，…における２台の隣り合うパチンコ台２，２の間に備えられた台間機（遊技起動装置）３に接続されている。なお、前記遊技店口座５、パチンコ台２，２，…及び台間機３は、実施の形態１におけるものと同様の機能を有している。
【００６６】
ファイル管理装置１は更に、ＬＡＮ等の通信回線により遊技店Ｈ内に設置された入金装置（受付装置）８に接続されており、該入金装置８は、ユーザが夫々所有するＩＣカード等の可搬型記録媒体であるカード４の挿入口と、現金、パチンコ玉等の有価価値を投入するための投入口を有している。ユーザは前記投入口に有価価値を投入し、所定の操作を行うことにより、ファイル管理装置１、遊技者口座５１及びカード４の何れかに有価価値情報を記録し、入金処理を行うことができる。
【００６７】
なお、本実施の形態における遊技店口座５は遊技店Ｈ外に存在し、外部通信ネットワーク１００を介して遊技店Ｈが備えるファイル管理装置１に接続しているものを示したが、遊技店口座５を遊技店Ｈ内に設置し、ＬＡＮ等によりファイル管理装置１に接続する構成としてもよい。また、本実施の形態における入金装置８は、有価価値に関する情報を記録したＩＣカード又は磁気カード等をユーザが購入するための発券機を兼ねるものであってもよい。更に、入金装置８として、遊技店Ｈ内に設置しＬＡＮ等によりファイル管理装置１に接続しているものを示したが、コンビニエンスストア、デパート等、遊技店Ｈ外に設置し、外部通信ネットワーク１００又は専用回線等を介してファイル管理装置１に接続する構成としてもよい。
【００６８】
図１２は、入金装置８の構成を示すブロック図である。入金装置８はＣＰＵ８０を備え、該ＣＰＵ８０はＲＡＭ８１、入力部８２、ディスプレイ８３、現金投入部８４、リーダ／ライタ８５、通信インタフェース８６、ハードディスク（ＨＤ）８７及び外部記憶装置８８の動作を制御する。
【００６９】
入力部８２は、本実施の形態におけるシステムを動作させるにあたり、ユーザが所定の操作を行うためのものであり、ディスプレイ８３に表示される指示に従って、ユーザにより操作される。なお、ディスプレイ８３をタッチパネル機能を備える液晶ディスプレイとすることにより、前記入力部８２を兼ねることもできる。現金投入部８４は、ユーザが遊技店口座５に預け入れするために投入した現金を受け付けるものであり、受け付けた現金はＣＰＵ８０によりその金額が算出され、有価価値情報としてＲＡＭ８１に記録される。
【００７０】
リーダ／ライタ８５はカード４に記録されたデータを読み込み、また、カード４にデータを書き込むためのハードウェアである。通信インタフェース８６はＬＡＮ等を介してファイル管理装置１との間にて通信可能に接続されている。外部記憶装置８８は、入金装置８を実現するためのコンピュータプログラムが記録されたＣＤ−ＲＯＭ等の記録媒体REC8から記録内容を読み込むためのＣＤ−ＲＯＭドライブ等であり、外部記録装置８８により読み込まれたデータはＨＤ８７に記録される。
【００７１】
次に、上述したような構成をなす有価価値供給システムにおける入金処理の動作について説明する。図１３は本実施の形態における有価価値供給システムにおける入金処理を説明するためのフローチャートである。ユーザが入金装置８のカード挿入口にカード４を挿入した場合（Ｓ７０１）、リーダ／ライタ８５により、カード４に記録されたカード識別情報等に基づき、挿入されたカード４が適正なものであるか否かを判断する。適正なカードである場合、入金装置８は、現金、パチンコ玉等の有価価値情報の記録先を特定するための入金先情報のユーザによる入力を受け付ける（Ｓ７０２）。本実施の形態における入金先としては、カード４、ファイル管理装置１及び遊技店口座５が有する遊技者口座５１の何れかを指定することができる。
【００７２】
入金先情報の入力を受け付けた後、ユーザによる現金の投入を受け付け（Ｓ７０３）、受け付けた現金の額に応じた有価価値情報を取得する（Ｓ７０４）。次にステップ７０２にて受け付けた入金先情報が示す入金先がカード４であるか否かを判断し（Ｓ７０５）、カード４に記録すべき旨の情報である場合、入金装置８は取得した有価価値情報をカード４へ記録する（Ｓ７０６）。
【００７３】
入金先がカード４ではない場合、入金先情報及び有価価値情報をファイル管理装置１へ送信する（Ｓ７０７）。入金先情報及び有価価値情報を受信したファイル管理装置１は（Ｓ８０１）、入金先情報に基づき、有価価値の入金先がファイル管理装置１であるか否かを判断する（Ｓ８０２）。ファイル管理装置１に入金すべき旨の情報である場合、ファイル管理装置１は、受信した有価価値情報をＨＤ１２に記録する（Ｓ８０３）。入金先がファイル管理装置１ではない場合、つまり入金先情報が指定する入金先が遊技者口座５１である場合、受信した有価価値情報を遊技者口座５１へ記録する（Ｓ８０４）。
【００７４】
なお、入金装置８の現金投入部８４に代わり、又は、現金投入部８４と別に、パチンコ玉等、他の有価価値を投入するためのハードウェアを入金装置８に備え、ステップ７０３において現金に代わりパチンコ玉等、他の有価価値の投入を受け付け、受け付けた有価価値に関する有価価値情報を各記録先に記録するようにしてもよい。
【００７５】
また、入金装置８は、実施の形態１において説明した台間機３と同様に、振替命令の入力を受け付け、受け付けた振替命令をファイル管理装置１へ送信することにより、金融口座から遊技者口座５１へ有価価値を振り替えることも可能である（図９参照）。
【００７６】
本実施に係る有価価値供給システムによれば、ファイル管理装置１との間にて通信可能に接続された入金装置８を備えているため、投入した現金に対応した有価価値情報を、カード４、ファイル管理装置１及び遊技者口座５１の何れかを選択して記録することができる。
【００７７】
（実施の形態３）
図１４は、実施の形態３に係る有価価値供給システムの構成を示すブロック図である。本実施の形態においては、デビットカード又はクレジットカード等の金融カードを用いた遊技を可能にし、遊技に用いるカードに記録された有価価値の精算を可能にする。図中１は各遊技店Ｈに備えられたファイル管理装置であり、実施の形態１におけるものと同様の機能を有し、遊技店Ｈ内に備えられた遊技店口座５との間にて通信可能に接続されている。また、ファイル管理装置１は、インターネット等の外部通信ネットワーク１００を介して金融機関７，７，…が接続されている。更に、ファイル管理装置１は、遊技店Ｈが複数備えるパチンコ台２，２，…における２台の隣り合うパチンコ台２，２の間に備えられた台間機３に接続されている。なお、前記遊技店口座５及びパチンコ台２，２，…は、実施の形態１又は２におけるものと同様の機能を有しており、台間機３は、実施の形態１又は２におけるものと同様の機能に加えて、金融機関７，７，…を通じて出金を行うことができる出金元を識別する情報を記録した記録媒体であるデビットカード又はクレジットカード等の金融カード（供給用記録媒体）を受け付ける機能を有している。
【００７８】
ファイル管理装置１は更に、ＬＡＮ等の通信回線により遊技店Ｈ内に設置された入金装置（受付装置）８と精算装置９とに接続されている。入金装置８は、実施の形態２におけるものと同様の機能に加えて、金融カードを受け付ける機能を有している。また、精算装置９は、ユーザが夫々所有するＩＣカード等の可搬型記録媒体であるカード４を受け付けて、カード４に記録されている有価価値を精算する機能を有しており、ユーザはカード４を受け付けさせて所定の操作を行うことにより、カード４に記録されている有価価値を現金の形で精算するか、又はファイル管理装置１、遊技者口座５１、及びユーザが金融機関７に有する金融口座の何れかへ前記有価価値の情報を記録して精算を行うことができる。
【００７９】
図１５は、実施の形態３における台間機３の構成を示すブロック図である。台間機３は金融カードを受け付ける金融カード受付部３９を備えており、その他の構成は実施の形態１と同様であるので、対応する部分に同符号を付してその説明を省略する。台間機３は、金融カード受付部３９にて受け付けた金融カードに記録されている情報を読み込み、読み込んだ情報および入力部３２にてユーザからの入力を受け付けた情報を含む情報を第１通信インタフェース３５を介してファイル管理装置１との間で交換し、ファイル管理装置１を介して有価価値の情報を受信し、受信した有価価値の情報をリーダ／ライタ３４にてカード４へ記録することができる。
【００８０】
図１６は、実施の形態３における入金装置８の構成を示すブロック図である。入金装置８は金融カードを受け付ける金融カード受付部８９を備えており、その他の構成は実施の形態２と同様であるので、対応する部分に同符号を付してその説明を省略する。入金装置８は、金融カード受付部８９にて受け付けた金融カードに記録されている情報を読み込み、読み込んだ情報および入力部８２にてユーザからの入力を受け付けた情報を含む情報を通信インタフェース８６を介してファイル管理装置１との間で交換し、ファイル管理装置１を介して有価価値の情報を受信し、受信した有価価値の情報をリーダ／ライタ８５にてカード４へ記録することができる。
【００８１】
図１７は、本発明の精算装置９の構成を示すブロック図である。精算装置９はＣＰＵ９０を備え、該ＣＰＵ９０はＲＡＭ９１、入力部９２、ディスプレイ９３、現金排出部９４、リーダ／ライタ９５、通信インタフェース９６、ハードディスク（ＨＤ）９７、及び外部記憶装置９８の動作を制御する。入力部９２は、本実施の形態におけるシステムを動作させるにあたり、ユーザが所定の操作を行うためのものであり、ディスプレイ９３に表示される指示に従って、ユーザにより操作される。なお、ディスプレイ９３をタッチパネル機能を備える液晶ディスプレイとすることにより、前記入力部９２を兼ねることもできる。リーダ／ライタ９５はカード４に記録されたデータを読み込み、また、カード４にデータを書き込むためのハードウェアである。現金排出部９４は、ユーザが精算した現金を排出するためのものであり、リーダ／ライタ９５にてカード４から読み込まれた有価価値の情報に応じた額の現金を排出する。通信インタフェース９６はＬＡＮ等を介してファイル管理装置１との間にて通信可能に接続されている。外部記憶装置９８は、精算装置９を実現するためのコンピュータプログラムが記録されたＣＤ−ＲＯＭ等の記録媒体ＲＥＣ９から記録内容を読み込むためのＣＤ−ＲＯＭドライブ等の装置であり、外部記憶装置９８により読み込まれたデータはＨＤ９７に記録される。
【００８２】
次に、本実施の形態に係る有価価値供給システムにおける入金処理を説明する。図１８は実施の形態３における有価価値供給システムにおける入金処理を説明するためのフローチャートである。ユーザが入金装置８のカード挿入口に金融カードを挿入した場合（Ｓ９０１）、入金装置８は、金融カード受付部８９により、金融カードに記録された、口座番号またはクレジット番号など出金元を識別する情報を読み込む。次に、入金装置８は、暗証番号など金融カードを認証するための情報、前記出金元から入金装置８へ供給すべき有価価値の数値を指定する供給指示情報、及び有価価値情報の記録先を特定するための入金先情報のユーザによる入力を受け付ける（Ｓ９０２）。
【００８３】
次に、入金装置８は、出金元を識別する情報、金融カードを認証するための情報、及び供給指示情報をファイル管理装置１へ送信し（Ｓ９０３）、ファイル管理装置１は、入金装置８から情報を受信し（Ｓ９０４）、ユーザの金融口座を有する銀行またはクレジット会社などの金融機関７である出金元から、受信した供給指示情報が示す数値に応じた有価価値の供給を受ける決済処理を行う（Ｓ９０５）。このとき、ファイル管理装置１は、外部通信ネットワーク１００を介して金融機関７との間で通信を行い、リアルタイムで有価価値を金融機関７から引き出す決済処理を行っても良く、決済に関する情報を記憶しておいて閉店後などの所定の時期に非リアルタイムで決済処理を行ってもよい。次に、ファイル管理装置１は、前記出金元から供給を受けた有価価値の情報を入金装置８へ送信し（Ｓ９０６）、入金装置８は有価価値の情報を受信する（Ｓ９０７）。
【００８４】
入金装置８は、次に、ステップ９０２にて受け付けた入金先情報が示す入金先がカード４であるか否かを判断し（Ｓ９０８）、カード４に記録すべき旨の情報である場合、受信した有価価値の情報を、ユーザによって予め挿入されているカード４又は入金装置８に予め収納されているカード４へ記録する（Ｓ９０９）。このとき、カード４に予め記録されている有価価値の情報が無価値であった場合には、入金装置８はカード４へ有価価値の情報を記録することによってカード４を発行する。入金先がカード４ではない場合、入金装置８は、入金先情報及び有価価値情報をファイル管理装置１へ送信する（Ｓ９１０）。ファイル管理装置１は、入金先情報及び有価価値情報を受信し（Ｓ９１１）、入金先情報に基づき、有価価値の入金先がファイル管理装置１であるか否かを判断する（Ｓ９１２）。ファイル管理装置１に入金すべき旨の情報である場合、ファイル管理装置１は、受信した有価価値情報をＨＤ１２に記録する（Ｓ９１３）。入金先がファイル管理装置１ではない場合、つまり入金先情報が指定する入金先が遊技者口座５１である場合、受信した有価価値情報を遊技者口座５１へ記録する（Ｓ９１４）。以上の入金処理により、ユーザは、金融カードを用いて遊技に用いるための有価価値を得ることができ、特に、金融カードを用いて有価価値の情報が記録されたカード４の発行を受けることができる。
【００８５】
なお、入金装置８は、出金元を識別する情報を金融カードから読み込むのではなく、ユーザが入力部８２を操作することによって前記情報の入力を受け付けて入金処理を行う機能を有していてもよい。また、ステップ９０１乃至９０３及びステップ９０７乃至９０９に示す入金装置８が行った処理を、台間機３が行うようにしてもよい。台間機３が入金処理を行う場合は、ステップ９１０以降の処理は行わず、台間機３は、カード４に記録しなかった有価価値情報をＲＡＭ３１に記録する。この場合においては、ユーザは、パチンコ台から離れることなく、金融カードを用いて有価価値の情報が記録されたカード４の発行を受けることができる。
【００８６】
次に、本実施の形態における有価価値供給システムにおける精算処理を説明する。図１９は実施の形態３における有価価値供給システムにおける精算処理を説明するためのフローチャートである。ユーザが精算装置９のカード挿入口にカード４を挿入した場合（Ｓ１００１）、リーダ／ライタ９５により、カード４に記録されたカード識別情報等に基づき、挿入されたカード４が適正なものであるか否かを判断する。適正なカードである場合、精算装置９は、カード４に記録されている有価価値のうちどれだけの額を精算するかを示す精算額情報、及び有価価値をどのような形で精算するかを示す精算方法情報のユーザによる入力を受け付ける（Ｓ１００２）。本実施の形態における精算方法としては、現金による精算、又はファイル管理装置１若しくは遊技店口座５が有する遊技者口座５１への入金の何れかを指定することができる。
【００８７】
精算装置９は、次に、受け付けた精算額情報が示す数値の有価価値を、カード４に記録されている有価価値から減算し、減算した数値に応じた有価価値情報を取得する（Ｓ１００３）。次に精算装置９は、ステップ１００２にて受け付けた精算方法情報が示す精算方法が現金による精算であるか否かを判断し（Ｓ１００４）、現金による精算をすべき旨の情報である場合、精算装置９は取得した有価価値情報に応じた額の現金を排出する（Ｓ１００５）。このとき、カード４に記録されている有価価値が、遊技玉の情報として記録されている場合は、精算装置９は、遊技玉の情報を金額の情報へ変換して現金を排出する。
【００８８】
精算方法が現金による精算ではない場合、精算装置９は、精算方法情報及び有価価値情報をファイル管理装置１へ送信する（Ｓ１００６）。ファイル管理装置１は、精算方法情報及び有価価値情報を精算装置９から受信し（Ｓ１００７）、精算方法情報に基づき、有価価値の入金先がファイル管理装置１であるか否かを判断する（Ｓ１００８）。ファイル管理装置１に入金すべき旨の情報である場合、ファイル管理装置１は、受信した有価価値情報をＨＤ１２に記録する（Ｓ１００９）。入金先がファイル管理装置１ではない場合、つまり精算方法情報が指定する入金先が遊技者口座５１である場合、受信した有価価値情報を遊技者口座５１へ記録する（Ｓ１０１０）。なお、遊技玉の情報としてカード４に記録されている有価価値を、金額の情報へ変換してファイル管理装置１又は遊技者口座５１へ記録することもできる。以上の精算処理により、ユーザは、遊技によって獲得して台間機３にてカード４に記録された有価価値、又は未使用のままカード４に記録されている有価価値を精算することができる。
【００８９】
次に、本実施の形態における有価価値供給システムにおける精算振替処理を説明する。図２０は、実施の形態３における有価価値供給システムにおける精算振替処理を説明するためのフローチャートである。ユーザが精算装置９の入力部９２を操作することにより、遊技店口座５における遊技者口座５１から金融機関７においてユーザが有する金融口座へ有価価値を振り替えて有価価値の精算を行うための命令として、金融口座及び精算額を指定する情報を含む精算振替命令を入力した場合、精算装置９は前記精算振替命令の入力を受け付け（Ｓ１１０１）、精算振替命令に対応する精算振替命令情報をファイル管理装置１へ送信する（Ｓ１１０２）。ファイル管理装置１は、精算振替命令情報を受信し（Ｓ１１０３）、精算振替命令情報に基づいてユーザの金融機関７及び金融口座の特定を試みる（Ｓ１１０４）。金融口座が特定できなかった場合は、ファイル管理装置１は、金融口座が特定できなかった旨の不可情報を精算装置へ送信し（Ｓ１１０５）、精算装置９は、不可情報を受信して（Ｓ１１０６）、再び精算振替命令の入力を受け付ける状態となる。
【００９０】
金融機関７及び金融口座が特定できた場合は、ファイル管理装置１は、精算振替命令情報に従い、遊技者口座５１から特定した金融口座へ有価価値を振り替える（Ｓ１１０７）。このとき、振り替えるべき有価価値が、遊技玉の情報として遊技者口座５１に記録されている場合は、ファイル管理装置１は、遊技玉の情報を金額の情報へ変換して、変換した有価価値を振り替える。ファイル管理装置１は、振替による精算が完了した旨の精算振替完了情報を精算装置９へ送信し（Ｓ１１０８）、精算装置９が精算振替完了情報を受信する（Ｓ１１０９）ことにより、精算振替処理を終了する。以上の精算振替処理により、ユーザは、遊技により獲得して遊技者口座５１に記録した有価価値を精算して金融口座に記録することが可能となり、前記有価価値を遊技以外の他の目的に用いることができる。
【００９１】
なお、精算振替処理において精算装置９が行った処理を台間機３が行うようにしてもよい。また、ステップ１１０１に示す精算振替命令の入力の受け付けをファイル管理装置１が行い、受け付けた精算振替命令に基づいて精算振替の処理を行うようにしても良い。
【００９２】
以上詳述した如く、本実施の形態においては、ユーザは、入金装置８又は台間機３に金融カードを挿入することにより、金融機関７，７，…を通じて出金を行うことができる出金元から、遊技に用いるための有価価値を得ることができ、特に、金融カードを用いて有価価値の情報が記録されたカード４の発行を受けることができる。これにより、キャッシュレスでカード４を購入して遊技を行うことが可能となり、遊技のキャッシュレス化がより促進される。なお、本発明の有価価値供給システムは、本実施の形態における金融カード以外に、汎用プリペイドカード又は電子マネーカードなど、有価価値の情報を記録している本発明に係る価値記録媒体を用いて、有価価値の供給を受ける形態としてもよい。この場合は、価値記録媒体に記録されている有価価値の情報を引き出してカード４に記録する処理を行うことにより、同様にキャッシュレスでカード４を購入して遊技を行うことが可能となる。
【００９３】
また、本実施の形態においては、ユーザは、有価価値が記録されているカード４を精算装置９に挿入することにより、遊技によって獲得して台間機３にてカード４に記録された有価価値、又は未使用のままカード４に記録されている有価価値を精算することができる。特に、有価価値を現金として精算することができるため、有価価値を遊技以外の目的に使用することができる。更に、本実施の形態においては、台間機３又は精算装置９からの指示により、遊技店口座５に記録された有価価値を金融機関７の金融口座へ振り替える精算を行うことができるため、ユーザは、遊技によって獲得して遊技店口座５に記録された有価価値を、金融口座を介して遊技以外の目的に使用することができる。
【図面の簡単な説明】
【００９４】
【図１】本発明に係る有価価値供給システムの実施の形態１における構成を示すブロック図である。
【図２】ファイル管理装置の構成を示すブロック図である。
【図３】ファイル管理装置が備えるハードディスクに記録された履歴情報を示す模式図である。
【図４】遊技店口座に記録された記録内容を説明するためのブロック図である。
【図５】台間機の構成を示すブロック図である。
【図６】カードの構成を示すブロック図である。
【図７】本発明に係る有価価値供給システムの動作を説明するためのフローチャートである。
【図８】本発明に係る有価価値供給システムの動作を説明するためのフローチャートである。
【図９】本発明に係る有価価値供給システムにおける有価価値の振り替え処理を説明するためのフローチャートである。
【図１０】台間機が所有する有価価値に関する所有情報の保存処理を説明するためのフローチャートである。
【図１１】本発明に係る有価価値供給システムの実施の形態２における構成を示すブロック図である。
【図１２】入金装置の構成を示すブロック図である。
【図１３】本発明に係る有価価値供給システムにおける入金処理を説明するためのフローチャートである。
【図１４】実施の形態３に係る有価価値供給システムの構成を示すブロック図である。
【図１５】実施の形態３における台間機の構成を示すブロック図である。
【図１６】実施の形態３における入金装置の構成を示すブロック図である。
【図１７】本発明の精算装置の構成を示すブロック図である。
【図１８】実施の形態３における有価価値供給システムにおける入金処理を説明するためのフローチャートである。
【図１９】実施の形態３における有価価値供給システムにおける精算処理を説明するためのフローチャートである。
【図２０】実施の形態３における有価価値供給システムにおける精算振替処理を説明するためのフローチャートである。
【符号の説明】
【００９５】
１  ファイル管理装置
２  パチンコ台（遊技機）
３  台間機（遊技起動装置）
４  カード（可搬型記録媒体）
５  遊技店口座
６  通信装置
５１  遊技者口座（遊技店ファイル）
７  金融機関
８  入金装置（受付装置）
９  精算装置
【図１】
2006280995.tif 000003
【図２】
2006280995.tif 000004
【図３】
2006280995.tif 000005
【図４】
2006280995.tif 000006
【図５】
2006280995.tif 000007
【図６】
2006280995.tif 000008
【図７】
2006280995.tif 000009
【図８】
2006280995.tif 000010
【図９】
2006280995.tif 000011
【図１０】
2006280995.tif 000012
【図１１】
2006280995.tif 000013
【図１２】
2006280995.tif 000014
【図１３】
2006280995.tif 000015
【図１４】
2006280995.tif 000016
【図１５】
2006280995.tif 000017
【図１６】
2006280995.tif 000018
【図１７】
2006280995.tif 000019
【図１８】
2006280995.tif 000020
【図１９】
2006280995.tif 000021
【図２０】
2006280995.tif 000022